(57)【要約】【課題】  従来より、暗所における情報提供手段がほとんどなく、特に停電時や、照明のない所では、避難誘導等の伝達手段がなく、災害時等の避難誘導等が安全に行われておらず、  広範な情報提供が、望まれていた。【解決手段】  屋内、屋外の壁等の任意の位置に蓄光体情報提供手段、設置されており、蓄光体情報提供手段の中に設けられた情報発信手段は、ＱＲコード、及び／又はバーコード、及び／又はＩＣタッグ、及び／又はブルートゥース発信体、及び／又はＷＩＦＩ発信体等で、構成されている、蓄光体情報伝達システムを提供する。【選択図】図１
2012203896.tif 000002
【特許請求の範囲】
【請求項１】
屋内、屋外の壁等の任意の位置に蓄光体情報提供手段が、設置されており、前記蓄光体情報提供手段の表面に設けられた情報発信手段は、ＱＲコード、及び／又はバーコード、及び／又はＩＣタッグ、及び／又はブルートゥース発信体、及び／又はＷＩＦＩ発信体等で、構成されており、
前記情報発信手段に、携帯電話、又はＰＤＡ、又はコード読取機、又はＩ−ＰＡＤ、又はＩ−ＰＯＤ等の情報読取手段をかざすと読取動作が行われ、情報読取手段に必要情報が表示される蓄光体情報伝達システム。
【請求項２】
蓄光体情報提供手段は、パネル体と、その表面に設けられた情報発信手段とで構成されており、前記パネル体の材料には高輝度アルミン酸ストロンチウム蓄光体等が含有されていることを特徴とする請求項１記載の蓄光体情報伝達システム。
【請求項３】
情報発信手段のＱＲコード及び／又はバーコードそのものを高輝度アルミン酸ストロンチウム蓄光体等の蓄光物質を含有した蓄光印刷インキにより構成し、印刷、転写、スタンプ等の手段により前記蓄光体情報提供手段が、設置できる請求項１、又は請求項２記載の蓄光体情報伝達システム。
【請求項４】
前記必要情報は、避難場所までの誘導路、及び／又は自分のいる位置をＧＰＳ等による地図で表示させたもの、及び／又は緊急連絡先の表示を行うもので、画面内のリンクにカーソルを移動し、クリックすると電話、及び／又は電子メール等の緊急通報を発信することができるシステム、及び／又はインターネット通信による情報、及び／又は動画情報を通信することができることを特徴とする請求項１、又は請求項２、又は請求項３記載の蓄光体情報伝達システム。
【発明の詳細な説明】
【技術分野】
【０００１】  本発明は、暗所、又は明所における情報提供を行う蓄光体情報伝達システムに関する。
【背景技術】
【０００２】  従来より、暗所における情報提供手段がほとんどなく、特に停電時や、照明のない所では、避難誘導等の伝達手段がなく、災害時等の避難誘導等が安全に行われていなかった。【０００３】  しかるに、灯具等を用いると、停電時には役に立たず、又電気代の維持費がかかり地球温暖化の原因ともなるため、消費電力の掛からない情報提供手段が望まれていた。
そのため実願２００９−７８１４号等の蓄光体滑り止め等が提供されているが、本発明は、それらをさらに改良し、暗所、又は明所において広範な情報提供を可能にしたものである。
【先行技術文献】
【特許文献】
【０００４】
【特許文献１】実願２００９−７８１４号公報
【発明の概要】
【発明が解決しようとする課題】
【０００５】  本発明は、これらの問題を解消しようとする蓄光体情報伝達システムを提供するものである。
特に、最近発生した東北関東大震災においては、停電、ガス停止、等による大災害が、発生した時、暗所、又は明所からの避難誘導等の情報提供手段がなく、被災する著しい状況が、発生した。
【課題を解決するための手段】
【０００６】  屋内、屋外の壁等の任意の位置に蓄光体情報提供手段が、設置されており、前記蓄光体情報提供手段の表面に設けられた情報発信手段は、ＱＲコード、及び／又はバーコード、及び／又はＩＣタッグ、及び／又はブルートゥース発信体、及び／又はＷＩＦＩ発信体等で、構成されており、
前記情報発信手段に、携帯電話、又はＰＤＡ、又はコード読取機、又はＩ−ＰＡＤ、又はＩ−ＰＯＤ等の情報読取手段をかざすと読取動作が行われ、情報読取手段に必要情報が表示される蓄光体情報伝達システムを提供する。【０００７】  蓄光体情報提供手段は、パネル体と、その表面に設けられた情報発信手段とで構成されており、前記パネル体の材料には高輝度アルミン酸ストロンチウム蓄光体等が含有されていることを特徴とする請求項１記載の蓄光体情報伝達システムを提供する。【０００８】  情報発信手段のＱＲコード及び／又はバーコードそのものを高輝度アルミン酸ストロンチウム蓄光体等の蓄光物質を含有した蓄光印刷インキにより構成し、印刷、転写、スタンプ等の手段により前記蓄光体情報提供手段が、設置できる請求項１、又は請求項２記載の蓄光体情報伝達システムを提供する。【０００９】  前記必要情報は、避難場所までの誘導路、及び／又は自分のいる位置をＧＰＳ等による地図で表示させたもの、及び／又は緊急連絡先の表示を行うもので、画面内のリンクにカーソルを移動し、クリックすると電話、及び／又は電子メール等の緊急通報を発信することができるシステム、及び／又はインターネット通信による情報、及び／又は動画情報を通信することができることを特徴とする請求項１、又は請求項２、又は請求項３記載の蓄光体情報伝達システムを提供する。
【発明の効果】
【００１０】  （１）蓄光体は、最近発達してきた高輝度のアルミン酸ストロンチウム蓄光体等を使用        する。これは、従来からの硫化亜鉛系蓄光体は、発光が暗い、発光時間が短いと        いった欠点があったのに対し、その１００倍近い蓄光を発揮し、暗闇では８時間        以上の持続性を持ち、屋外でも使用可能である。
（２）特に雨等の水で再分解されない硬化法が、採用されている。
（３）前記必要情報は、避難場所までの誘導路、及び／又は自分のいる位置をＧＰＳ等        による地図で表示させたもの、及び／又は緊急連絡先の表示を行うもので、画面        内のリンクにカーソルを移動し、クリックすると電話、及び／又は電子メール等        の緊急通報を発信することができるシステム、及び／又はインターネットによる        情報、及び／又は動画情報を通信することができる。
（４）暗所、又は明所においても安全な避難誘導等の情報提供手段を、安価に形成でき        る極めて実用的な手段を提供するものである
【図面の簡単な説明】
【００１１】
【図１】本発明の実施例の全体斜視図である。
【図２】蓄光体情報提供手段２の正面図である。
【図３】ＱＲコードに加えてそれ以外の情報発信手段４ａを併置した正面図である。
【図４】必要情報７の１例である避難場所までの誘導路を表示した画面である。
【図５】必要情報７の現在地の例を表示した画面である。
【図６】必要情報７の緊急連絡先等を表示した画面である。
【図７】必要情報７の選択画面を表示した画面である。
【図８】屋外の蓄光体情報提供手段１０の正面図である。
【図９】情報発信手段のＱＲコードの一例の拡大図である。
【図１０】情報発信手段のＱＲコードに避難誘導標識を組み合わせた例の拡大図である。
【図１１】情報発信手段のＱＲコードに避難口標識を組み合わせた例の拡大図である。
【図１２】本発明の実施例２の全体斜視図である。
【発明を実施するための形態】
【００１２】  本発明は、発明の効果に前述した如く、地震等の大災害の発生時停電等により、避難誘導等の情報提供が途絶え大災害に被災することを防ぐことは、極めて重要であることが認識された。
本発明は、暗所、又は明所においても安全に避難誘導等の情報提供手段を安価に形成できる極めて実用的な手段を提供するものである。
【００１３】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例１】
【００１４】  以下、本発明の実施例について、図面を参照しながら説明する。
図１は、本発明の実施例の全体斜視図である。【００１５】  屋内、屋外等の床１に対し、壁等の任意の位置に蓄光体情報提供手段２が、設置されている。
蓄光体情報提供手段２は、パネル、又はパネルの表面のシール等で構成されたパネル体３とその表面に設けられた情報発信手段４とで構成されている。
床１には、蓄光誘導標識５が設けられ、室内での誘導が滑止め効果とともに、発揮される。蓄光誘導標識５は、接着剤、又は両面テープ等により床１に固定されている。
また壁等の適当な誘導位置にも設置できる。【００１６】  図２は、蓄光体情報提供手段２の正面図である。
前記パネル、又はパネルの表面のシール等で構成されたパネル体３の材料には最近発達してきた高輝度のアルミン酸ストロンチウム蓄光体等が含有されており、パネル体３自身が発光する。【００１７】  これは、従来からの硫化亜鉛系蓄光体は、発光が暗い、発光時間が短いといった欠点があったのに対し、その１００倍近い蓄光を発揮し、暗闇では８時間以上の持続性を持ち、屋外でも使用可能である。
化学組成が、アルミン酸ストロンチウム＋ユウロビウム＋ジスプロシウム等で構成される。【００１８】  暗闇で発光、次第に暗くなってくる性質をもっているが、励起すると再び光り出し、
光の照射→発光→光の照射→発光を何回でも半永久的に繰り返すことができる。
放射性物質を含まない安全で、環境に考慮された物質である。その製作は、ＪＩＳＺ９  １０７に準拠し製作されている。【００１９】  その１例として能登プロワークス株式会社（登録商標）製の商品名「ライティブコート」（登録商標）等が、その適合例である。【００２０】  又、硬化させる分類としては、有機溶剤型、水溶剤型、紫外線硬化型、電子線硬化型、熱可塑性型等が適用される。
特に雨等の水で分解されない硬化法が、採用されている。
また、ガラス繊維等の添加剤、着色剤等を添加してもよい。【００２１】  パネル３には、情報発信手段４が設けられている。
情報発信手段４は、ＱＲコード、及び／又はバーコード、又はＩＣタッグ、又はブルートゥース発信体、ＷＩＦＩ発信体等で、構成されている。【００２２】  前記情報発信手段４に、図１で示すように、携帯電話、又はＰＤＡ、又はコード読取機、又はＩ−ＰＡＤ、又はＩ−ＰＯＤ等の情報読取手段６をかざすと読取動作が行われ、情報読取手段６に必要情報７が表示される。【００２３】  図３には、ＱＲコードに加えて、それ以外のバーコード、又はＩＣタッグ、又はブルートゥース発信体、ＷＩＦＩ発信体等の情報発信手段４ａを併置したものである。【００２４】  図４は、必要情報７の１例である避難場所までの誘導路を表示したものである。
この避難場所までの誘導路は、地域別に適合した画面が表示される。【００２５】  図５は、必要情報７の例である自分のいる現在位置を、ＧＰＳ等による地図８で表示させるものである。【００２６】  図６は、必要情報７の別の例である緊急連絡先の表示を行うもので、そのリンク９にカーソルを移動し、クリックすると、電話、及び／又は電子メール等の電話による緊急通報を発信することができるシステムを示している。
更に、必要情報７は、その他にも、そのリンク９にカーソルを移動し、クリックすると、インターネットによる情報通信や、動画情報通信を行うことができる。
図７は、必要情報７の選択画面の表示であり、必要情報７の全体を示している。【００２７】  図８は、屋外に設けられた蓄光体情報提供手段１０を示すものである。
建屋内の避難誘導は、図１の蓄光誘導標識５等により行われた後、屋外における情報提供を行うものである。
該蓄光体情報提供手段１０は、図４の中の○印で示される位置等に設置される。
例えば、電柱、又は壁、標識等に設置される。
図９は、情報発信手段のＱＲコードの標準的な一例の拡大図である。
図１０は、情報発信手段のＱＲコードに避難誘導標識を組み合わせた例の拡大図であ    る。
図１１は、情報発信手段のＱＲコードに避難口標識を組み合わせた例の拡大図である    。
【実施例２】
【００２８】  実施例２は、実施例１に対し、情報発信手段４の別の構成方式を示すものである。
本実施例においては、情報発信手段４のＱＲコード及び／又はバーコード等は、ＱＲコード及び／又はバーコード等そのものを蓄光物質を含有した印刷インキにより、印刷、転写、スタンプ等で構成するものである。
図９には、スタンプによる一例を示す概略斜視図である。
蓄光物質を含有した印刷インキの付着した蓄光印刷スタンプ１１により、スタンプ可能な面であれば、必要な任意の場所に、印刷、スタンプ等により情報発信手段４を簡単に数多く、設けることができる画期的方法を提供するものである。【００２９】  従って印刷が可能な個所であれば、パネル体３は必要とせずに任意に数多く設けられ、極めて安価に情報発信手段４を設置することができる。
【産業上の利用可能性】
【００３０】  本発明の活用例としては、以上説明したように、大災害時における停電等で暗くなった場合に、暗所、又は明所で、避難経路や必要情報を伝達し、短時間に問題解決を図れる極めて実用的、かつ安価な構成を提供することにより安全性を大幅に高め、災害防止に大きく貢献できると共に、新商品による産業の発展に貢献できる、きわめて実用的な発明である。
【符号の説明】
【００３１】  １        床
２、１０  蓄光体情報提供手段
３        パネル
４、４ａ  情報発信手段
５        蓄光誘導標識
６        情報読取手段
７        必要情報
８        地図
９        リンク
１１      蓄光印刷スタンプ
【図１】
2012203896.tif 000003
【図２】
2012203896.tif 000004
【図３】
2012203896.tif 000005
【図４】
2012203896.tif 000006
【図５】
2012203896.tif 000007
【図６】
2012203896.tif 000008
【図７】
2012203896.tif 000009
【図８】
2012203896.tif 000010
【図９】
2012203896.tif 000011
【図１０】
2012203896.tif 000012
【図１１】
2012203896.tif 000013
【図１２】
2012203896.tif 000014